(57)【要約】【課題】  複数の機器の各々の機能を最大限に生かしつつ操作性を向上させたネットワーク型データ再生装置を提供する。【解決手段】  ＤＶＤプレーヤ（映像再生装置部）１００とパソコン（外部デコード装置部）３００とをネットワーク接続する。プレーヤ１００に挿入された光ディスク１０１の映像データが当該プレーヤ内部のハードウェアデコード部１０３でデコード可能か不可能かを判別して、不可能と判別された場合は、ネットワーク経由で映像データをパソコン３００へ送信して、ソフトウェアデコード部３０３でデコードさせて、デコード後の映像データを受信する。これにより、プレーヤ１００からの操作のみで、プレーヤ自身が対応していないフォーマットの映像データをデコードして再生することができる。【選択図】  図１
2006033376.tif 000002
【特許請求の範囲】
【請求項１】
記録媒体が有するエンコードされたデータを再生する再生装置であって、
前記記録媒体から読み出されたデータをデコードするデコード部と、
前記記録媒体から読み出されたデータを、前記デコード部にてデコード不可能なエンコード形式のデータをデコードすることが可能な外部装置へ送信する送信部と、
前記外部装置にてデコードされたデータを受信する受信部と、
前記デコード部にてデコードされたデータ又は前記受信部にて受信されたデータを出力する出力部と、
前記記録媒体から読み出されたデータが前記デコード部にてデコード不可能なエンコード形式のデータである場合には、前記送信部を介して当該データを前記外部装置へ送信し、かつ前記受信部を介して前記外部装置にてデコードされたデータを受信するように制御する制御部とを備えたことを特徴とする再生装置。
【請求項２】
前記外部装置にネットワーク経由で接続されることを特徴とする請求項１記載の再生装置。
【請求項３】
前記制御部は、前記デコード部にてデコード不可能なエンコード形式のデータを前記外部装置にてデコードさせるための通知信号を前記外部装置へ送信することを特徴とする請求項１記載の再生装置。
【請求項４】
前記制御部は、前記外部装置との接続を識別するプロトコルを有することを特徴とする請求項３記載の再生装置。
【請求項５】
前記制御部は、所定の装置以外の装置を前記外部装置としないように制御することを特徴とする請求項４記載の再生装置。
【請求項６】
前記プロトコルは、固有のシリアル番号を前記外部装置へ送信し、前記外部装置との接続が特定された１対１で対応しているかを前記外部装置に識別させる方式であることを特徴とする請求項４記載の再生装置。
【請求項７】
前記プロトコルは、固有のＭＡＣアドレスを前記外部装置へ送信し、前記外部装置との接続が特定された１対１で対応しているかを前記外部装置に識別させる方式であることを特徴とする請求項４記載の再生装置。
【請求項８】
前記プロトコルは、前記外部装置から送信される固有のシリアル番号を受信し、前記外部装置との接続が特定された１対１で対応しているかを識別する方式であることを特徴とする請求項４記載の再生装置。
【請求項９】
前記プロトコルは、前記外部装置から送信される固有のＭＡＣアドレスを受信し、前記外部装置との接続が特定された１対１で対応しているかを識別する方式であることを特徴とする請求項４記載の再生装置。
【請求項１０】
前記外部装置に接続されていることを視認できるように表示する表示部を更に備えたことを特徴とする請求項４記載の再生装置。
【請求項１１】
前記制御部は、前記記録媒体から読み出されたデータのエンコード形式が前記外部装置にてデコード可能なエンコード形式であるかどうかを識別する機能を有することを特徴とする請求項３記載の再生装置。
【請求項１２】
前記制御部は、前記外部装置にてデコード可能なデータのエンコード形式を表す情報として、データ形式と、当該データ形式の識別データと、当該識別データを読み出せる前記記録媒体の位置との対応テーブルを有することを特徴とする請求項１１記載の再生装置。
【請求項１３】
前記制御部は、前記外部装置にてデコード可能なデータのエンコード形式の情報を前記外部装置から受信するように制御することを特徴とする請求項１１記載の再生装置。
【請求項１４】
前記制御部は、前記外部装置にてデコード可能なデータのエンコード形式の情報を予め保有することを特徴とする請求項１１記載の再生装置。
【請求項１５】
前記制御部は、前記外部装置へ送信する前のデータと前記外部装置から受信したデータとを比較することで、前記外部装置へ送信してから前記外部装置から受信するまでにデータに欠落が生じてないかを検知する機能を有することを特徴とする請求項１記載の再生装置。
【請求項１６】
前記送信部は送信データを暗号化する機能を、前記受信部は受信データを暗号解除する機能をそれぞれ有することを特徴とする請求項１記載の再生装置。
【請求項１７】
エンコードされたデータを再生装置から受信してデコードするデコード装置であって、
前記再生装置から送信されたデータを受信する受信部と、
前記受信部を介して受信されたデータをデコードするデコード部と、
前記デコード部にてデコードされたデータを前記再生装置へ送信する送信部と、
前記再生装置からデコードを要求する通知信号を受信したとき、前記受信部を介して受信されたデータを前記デコード部にデコードさせ、かつ前記送信部を介して前記デコード部にてデコードされたデータを前記再生装置へ送信するように制御する制御部とを備えたことを特徴とするデコード装置。
【請求項１８】
前記再生装置にネットワーク経由で接続されることを特徴とする請求項１７記載のデコード装置。
【請求項１９】
前記制御部は、前記再生装置との接続を識別するプロトコルを有することを特徴とする請求項１７記載のデコード装置。
【請求項２０】
前記制御部は、所定の装置以外の装置を前記再生装置としないように制御することを特徴とする請求項１９記載のデコード装置。
【請求項２１】
前記プロトコルは、固有のシリアル番号を前記再生装置へ送信し、前記再生装置との接続が特定された１対１で対応しているかを前記再生装置に識別させる方式であることを特徴とする請求項１９記載のデコード装置。
【請求項２２】
前記プロトコルは、固有のＭＡＣアドレスを前記再生装置へ送信し、前記再生装置との接続が特定された１対１で対応しているかを前記再生装置に識別させる方式であることを特徴とする請求項１９記載のデコード装置。
【請求項２３】
前記プロトコルは、前記再生装置から送信される固有のシリアル番号を受信し、前記再生装置との接続が特定された１対１で対応しているかを識別する方式であることを特徴とする請求項１９記載のデコード装置。
【請求項２４】
前記プロトコルは、前記再生装置から送信される固有のＭＡＣアドレスを受信し、前記再生装置との接続が特定された１対１で対応しているかを識別する方式であることを特徴とする請求項１９記載のデコード装置。
【請求項２５】
前記制御部は、前記再生装置との接続が完了したことを前記再生装置に通知することを特徴とする請求項１９記載のデコード装置。
【請求項２６】
前記制御部は、前記デコード部にてデコード可能なデータのエンコード形式を表す情報を前記再生装置に通知することを特徴とする請求項１７記載のデコード装置。
【請求項２７】
前記制御部は、前記デコード部にてデコード可能なデータのエンコード形式を表す情報として、データ形式と、当該データ形式の識別データと、当該識別データを読み出せる前記再生装置に挿入された記録媒体の位置との対応テーブルを有することを特徴とする請求項１７記載のデコード装置。
【請求項２８】
前記制御部は、前記再生装置から受信したデータが前記デコード部にてデコード可能か否かを判別する機能を備えたことを特徴とする請求項１７記載のデコード装置。
【請求項２９】
前記受信部は受信データを暗号解除する機能を、前記送信部は送信データを暗号化する機能をそれぞれ有することを特徴とする請求項１７記載のデコード装置。
【請求項３０】
前記制御部は、前記受信部にて受信したデータのデコード結果を前記再生装置へ送信したとき、前記受信したデータを消去することを特徴とする請求項１７記載のデコード装置。
【請求項３１】
内部記憶手段を備えた外部装置に接続された再生装置であって、
記録媒体からデータを読み出すドライブ部と、
前記ドライブ部が読み出したデータから、前記内部記憶手段へのデータアクセスを許可されるための鍵情報を抽出する鍵情報抽出部と、
前記外部装置の内部記憶手段からデータを取得するための要求信号を前記鍵情報とともに前記外部装置へ送信する制御部と、
前記内部記憶手段から読み出されたデータを前記外部装置から受信する受信部とを備えたことを特徴とする再生装置。
【請求項３２】
外部に再生装置が接続されるデータ装置であって、
内部に接続された記録媒体と、
前記再生装置から前記記録媒体内のデータを取得するための要求信号と鍵情報とを受信して、前記鍵情報が前記記録媒体へのデータアクセスの権限を有するものであれば前記再生装置が要求するデータを前記記録媒体から読み出すように制御する制御部と、
前記読み出したデータを前記再生装置へ送信する送信部とを備えたことを特徴とするデータ装置。
【請求項３３】
前記制御部は、鍵情報とデータアクセスを許可すべきデータとの対応テーブルを持ち、前記再生装置から受信した鍵情報に応じて前記記録媒体へのデータアクセスの範囲を、前記対応テーブルに従って制限することを特徴とする請求項３２記載のデータ装置。
【発明の詳細な説明】
【技術分野】
【０００１】
本発明は、光ディスク等の記録媒体が有するエンコードされたデータを再生するデータ再生装置に関し、特にネットワークを介して互いに接続された複数の機器を用いてデータ再生を実現する技術に関するものである。
【背景技術】
【０００２】
家庭内の複数の電化製品をネットワークで接続する技術が知られている。ホームサーバ、ＡＶサーバ等と呼ばれる機器で管理しつつ、これらの電化製品を遠隔操作したり、連動動作させたりするのである（例えば、特許文献１参照）。
【特許文献１】特開２００２−１８９８５２号公報
【発明の開示】
【発明が解決しようとする課題】
【０００３】
ネットワークを介してＤＶＤプレーヤとパーソナルコンピュータ（以下、パソコンという。）とを接続すれば、パソコン内蔵ＨＤＤ部に蓄積された映像データをＤＶＤプレーヤへ送信し、この映像データをＤＶＤプレーヤの内部に備えるハードウェアデコーダを用いて再生することが可能となる。ところが、誰でもＨＤＤ部へのデータアクセスが可能となり、問題が生じる。
【０００４】
また、ＤＶＤプレーヤではデコード不可能であるが、パソコンではデコード可能であるようなエンコード形式のデータが記録された光ディスクの場合には、当該光ディスクをＤＶＤプレーヤではなくてパソコンに装着する等の操作をする煩わしさが生じる。
【０００５】
本発明の目的は、複数の機器の各々の機能を最大限に生かしつつ操作性を向上させたネットワーク型データ再生装置を提供することにある。
【０００６】
本発明の他の目的は、データアクセス制限を達成できるネットワーク型データ再生装置を提供することにある。
【課題を解決するための手段】
【０００７】
上記目的を達成するため、本発明に係る第１の再生装置は、記録媒体（例えば光ディスク）が有するエンコードされたデータを再生する再生装置（例えばＤＶＤプレーヤ）であって、記録媒体から読み出されたデータをデコードするデコード部（例えばハードウェアデコード部）と、記録媒体から読み出されたデータを当該デコード部にてデコード不可能なエンコード形式のデータをデコードすることが可能な外部装置（例えばパソコン）へ送信する送信部と、外部装置にてデコードされたデータを受信する受信部と、当該デコード部にてデコードされたデータ又は受信部にて受信されたデータを出力する出力部と、記録媒体から読み出されたデータが当該デコード部にてデコード不可能なエンコード形式のデータである場合には、送信部を介して当該データを外部装置へ送信し、かつ受信部を介して外部装置にてデコードされたデータを受信するように制御する制御部とを備えた構成を採用したものである。
【０００８】
これに対応する外部デコード装置は、エンコードされたデータを再生装置（例えばＤＶＤプレーヤ）から受信してデコードするデコード装置（例えばパソコン）であって、再生装置から送信されたデータを受信する受信部と、この受信部を介して受信されたデータをデコードするデコード部（例えばソフトウェアデコード部）と、当該デコード部にてデコードされたデータを再生装置へ送信する送信部と、再生装置からデコードを要求する通知信号を受信したとき、受信部を介して受信されたデータを当該デコード部にデコードさせ、かつ送信部を介して当該デコード部にてデコードされたデータを再生装置へ送信するように制御する制御部とを備える。
【０００９】
また、本発明に係る第２の再生装置は、内部記憶手段（例えばＨＤＤ部）を備えた外部装置（例えばパソコン）に接続された再生装置（例えばＤＶＤプレーヤ）であって、記録媒体（例えば光ディスク）からデータを読み出すドライブ部と、このドライブ部が読み出したデータから内部記憶手段へのデータアクセスを許可されるための鍵情報を抽出する鍵情報抽出部と、外部装置の内部記憶手段からデータを取得するための要求信号を鍵情報とともに外部装置へ送信する制御部と、内部記憶手段から読み出されたデータを外部装置から受信する受信部とを備えた構成を採用したものである。
【００１０】
これに対応するデータ装置は、外部に再生装置（例えばＤＶＤプレーヤ）が接続されるデータ装置（例えばパソコン）であって、内部に接続された記録媒体（例えばＨＤＤ部）と、再生装置から当該記録媒体内のデータを取得するための要求信号と鍵情報とを受信して、鍵情報が当該記録媒体へのデータアクセスの権限を有するものであれば再生装置が要求するデータを当該記録媒体から読み出すように制御する制御部と、当該読み出したデータを再生装置へ送信する送信部とを備える。
【発明の効果】
【００１１】
上記本発明に係る第１の再生装置によれば、複数の機器の各々の機能を最大限に生かしつつ操作性を向上させたネットワーク型データ再生装置を提供することができる。具体的には、ＤＶＤプレーヤでデコードできない映像フォーマットについても、このプレーヤからの操作で映像再生を達成することができる。また、映像データの新フォーマットが登場してきても、外部デコード装置のみ対応させることでプレーヤ側での映像再生が可能になる。
【００１２】
上記本発明に係る第２の再生装置によれば、データアクセス制限を達成できるネットワーク型データ再生装置を提供することができる。
【発明を実施するための最良の形態】
【００１３】
以下、図面を参照しながら、本発明の実施の形態について詳細に説明する。
【００１４】
図１は、本発明に係るネットワーク型データ再生装置の構成例を示している。図１のデータ再生装置は、映像再生装置部１００と、映像表示装置部２００と、外部デコード装置部３００とで構成される。例えば、映像再生装置部１００がＤＶＤプレーヤであり、映像表示装置部２００が液晶ディスプレイであり、外部デコード装置部３００がパソコンである。映像再生装置部１００と外部デコード装置部３００とはネットワークを介して互いに接続される。
【００１５】
映像再生装置部１００は、光ディスク１０１の挿入を受けるドライブ部１０２と、ハードウェアデコード部１０３と、映像表示装置部２００へのデータ出力を司る出力部１０４と、映像判別部１０５と、著作権有無判別部１０６と、制御部１０７と、外部デコード装置部３００へのデータ送信を司る映像データ送信部１０８と、外部デコード装置部３００からのデータ受信を司る映像データ受信部１０９と、バッファ部１１０と、接続表示部１１１とを備えている。
【００１６】
映像表示装置部２００は、映像再生装置部１００からのデータを受け取るフレームメモリ部２０１と、描画部２０２とを備えている。
【００１７】
外部デコード装置部３００は、映像再生装置部１００からのデータ受信を司る映像データ受信部３０１と、バッファ部３０２と、ソフトウェアデコード部３０３と、制御部３０４と、映像再生装置部１００へのデータ送信を司る映像データ送信部３０５とを備えている。
【００１８】
図１の構成によれば、ドライブ部１０２に映像データの記録された光ディスク１０１を挿入して、制御部１０７より映像再生の要求を受けると、光ディスク１０１に記録された映像データをドライブ部１０２で読み出す。そして、読み出した映像データの種類を映像判別部１０５で判別して、判別の結果を制御部１０７へ通知する。判別の結果、ハードウェアデコード部１０３でデコード可能な場合は、このハードウェアデコード部１０３で映像データをデコードして、映像表示装置部２００に備えたフレームメモリ部２０１を介して描画部２０２で映像を表示する。
【００１９】
次に、ドライブ部１０２に挿入される光ディスク１０１の映像データを、外部デコード装置部３００に備えたソフトウェアデコード部３０３でデコードして、映像表示装置部２００にて表示する一連の動作を説明する。
【００２０】
まずは、映像再生装置部１００にネットワーク経由で外部デコード装置部３００を接続しておく。映像判別部１０５における判別の結果、ハードウェアデコード部１０３でデコードが可能でない場合は、ドライブ部１０２が光ディスク１０１から読み出した映像データを、映像データ送信部１０８がネットワーク経由で外部デコード装置部３００へ送信する。これと同時に、制御部１０７は、当該映像データを外部デコード装置部３００にてデコードさせるための通知信号を、外部デコード装置部３００の制御部３０４に宛てて送信する。映像データの仕様として、例えばＭＰＥＧ２のビットレートは最大９．８Ｍｂｐｓである。一方、近年のネットワーク転送速度は有線ＬＡＮで１Ｇｂｐｓ、高速無線ＬＡＮでは４５Ｍｂｐｓ（低速無線ＬＡＮでも１１Ｍｂｐｓ）の速度が実現できており、映像データの高速送受信を実現することができる。
【００２１】
外部デコード装置部３００では、映像データ受信部３０１が受信した映像データがバッファ部３０２に格納される。ソフトウェアデコード部３０３は、バッファ部３０２に格納された映像データを、映像再生装置部１００のハードウェアデコード部１０３でデコード可能な形式にデコードして、デコード後の映像データをバッファ部３０２へ格納する。このデコード後の映像データは、映像データ送信部３０５によりネットワーク経由で映像再生装置部１００へ返信される。
【００２２】
映像再生装置部１００では、映像データ受信部１０９が受信した映像データがバッファ部１１０に格納される。このバッファ部１１０に格納後の映像データを、ハードウェアデコード部１０３にて映像表示装置部２００で表示できる形式にデコードして、最終的に映像表示装置部２００に備えたフレームメモリ部２０１を介して描画部２０２で映像を表示する。
【００２３】
以上のとおり、図１のネットワーク型データ再生装置によれば、従来の映像再生機能に加えて、映像再生装置部１００から離れた場所にある外部デコード装置部３００のソフトウェアデコード部３０３を利用することにより、映像再生装置部１００からの操作のみで、当該映像再生装置部１００が対応していないフォーマットの映像データをデコードして再生することができる。
【００２４】
映像再生装置部１００の制御部１０７は、外部デコード装置部３００との接続を識別するプロトコルを有することが好ましい。外部デコード装置部３００の制御部３０４についても同様である。これにより、所定の装置同士以外の第３の装置への映像データの漏洩を防止することが可能になる。例えば、映像再生装置部１００の固有識別情報と外部デコード装置部３００の固有識別情報とを利用すればよい。ここに、固有識別情報とは、機器のシリアル番号、ＭＡＣ（Media Access Control）アドレス等である。両者の固有識別番号が１対１に対応していることを映像再生装置部１００又は外部デコード装置部３００のいずれかの制御部１０７，３０４で確認できたときに限り、外部デコード装置部３００のソフトウェアデコード部３０３を利用することとする。これにより、映像再生装置部１００と外部デコード装置部３００との対応は１対１として第３の装置を交えることができないようになる。
【００２５】
図１に示した接続表示部１１１を利用すれば、映像再生装置部１００と外部デコード装置部３００との接続をユーザが容易に確認できるようになる。外部デコード装置部３００の制御部３０４は、映像再生装置部１００との接続が完了したことを制御部１０７に通知する。映像再生装置部１００に設けられた接続表示部１１１は、外部デコード装置部３００に接続されていることを視認できるように表示するものであって、ＦＬ表示管、ＬＥＤ、ＬＣＤ等のいずれでもよい。
【００２６】
映像再生装置部１００と外部デコード装置部３００との間の映像データの不必要な送受信を防ぐためには、光ディスク１０１から読み出された映像データがソフトウェアデコード部３０３でデコード可能であることを映像再生装置部１００の制御部１０７で確認できたときに限り、映像再生装置部１００から外部デコード装置部３００への映像データの送信を行うようにすればよい。そのためには、ソフトウェアデコード部３０３でデコード可能な映像フォーマットの一覧を外部デコード装置部３００の制御部３０４にて作成し、これを映像再生装置部１００へ通知するとよい。この一覧は、例えば、ソフトウェアデコード部３０３でデコード可能なデータ形式と、当該データ形式の識別データと、当該識別データを読み出せる光ディスク１０１の位置との対応テーブルである。なお、ソフトウェアデコード部３０３でデコード可能な映像フォーマットの一覧を映像再生装置部１００が予め保有するようにしてもよい。
【００２７】
あるいは、映像再生装置部１００より受信した映像データについてソフトウェアデコード部３０３でのデコード対応可否を判別する機能を外部デコード装置部３００の制御部３０４が持つようにしてもよい。ソフトウェアデコード部３０３でのデコード対応が不可能であれば、映像再生装置部１００へエラーが返信される。
【００２８】
映像再生装置部１００の制御部１０７に送信リトライ制御機能を持たせることもできる。制御部１０７は、光ディスク１０１から読み出した映像データに関する情報をドライブ部１０２より得ておく。そして、外部デコード装置部３００よりネットワーク経由で返信されたデコード後の映像データがバッファ部１１０に格納されたとき、送信前に得た映像データの情報と受信後の映像データの情報とを比較して、２つの映像データが一致すると判断された場合にはバッファ部１１０からハードウェアデコード部１０３へ映像データを送る。ただし、２つの映像データが一致しないと判断された場合には、ドライブ部１０２より読み出した光ディスク１０１の映像データを外部デコード装置部３００へ送信する処理からリトライする。これにより、送受信によって映像データが誤ったり欠落したりしても、映像表示装置部２００で表示する前に知ることができ、不完全な映像を表示することを防ぐことが可能となる。
【００２９】
図１に示した著作権有無判別部１０６は、光ディスク１０１から読み出された映像データに著作権が存在するかどうかを判別する。著作権が存在する場合には、映像再生装置部１００及び外部デコード装置部３００の各々の映像データ送信部１０８，３０５は送信データに暗号化を施し、各々の映像データ受信部１０９，３０１は受信データを暗号解除する。これにより、映像再生装置部１００と外部デコード装置部３００との対応が１対１の場合のみのネットワーク経由でデコードが可能となり、第３の装置を交えた映像データの不正コピーを防止することができる。
【００３０】
また、外部デコード装置部３００の制御部３０４は、映像データを映像再生装置部１００へ返送した後、バッファ部３０２に残ったデータ量をチェックして、データが一定量以上残っている場合には当該データをバッファ部３０２から消去する。これにより、著作権を持つ映像データが不正にコピーされるのを防ぐことが可能となる。
【００３１】
図２は、本発明に係るネットワーク型データ再生装置の他の構成例を示している。図２のデータ再生装置は、映像再生装置部４００と、映像表示装置部５００と、外部デコード装置部６００とで構成される。例えば、映像再生装置部４００がＤＶＤプレーヤであり、映像表示装置部５００が液晶ディスプレイであり、外部デコード装置部６００がパソコンである。映像再生装置部４００と外部デコード装置部６００とはネットワークを介して互いに接続される。
【００３２】
映像再生装置部４００は、光ディスク４０１の挿入を受けるドライブ部４０２と、ハードウェアデコード部４０３と、映像表示装置部５００へのデータ出力を司る出力部４０４と、制御部４０７と、外部デコード装置部６００からのデータ受信を司る映像データ受信部４０９と、バッファ部４１０と、鍵情報抽出部４１２とを備えている。
【００３３】
映像表示装置部５００は、映像再生装置部４００からのデータを受け取るフレームメモリ部５０１と、描画部５０２とを備えている。
【００３４】
外部デコード装置部６００は、バッファ部６０２と、ソフトウェアデコード部６０３と、制御部６０４と、映像再生装置部４００へのデータ送信を司る映像データ送信部６０５と、ＨＤＤ部６０６とを備えている。映像再生装置部４００の鍵情報抽出部４１２は、ドライブ部４０２が光ディスク４０１から読み出したデータの中から、ＨＤＤ部６０６へのデータアクセスを許可されるための鍵情報（認証キー）を抽出するものである。
【００３５】
図２の構成によれば、ハードウェアデコード部４０３でデコードできる映像データを映像表示装置部５００に備えた描画部５０２に表示するためには、映像データの記録された光ディスク４０１をドライブ部４０２に挿入して、制御部４０７より映像再生の要求を受けたときに、ドライブ部４０２よりハードウェアデコード部４０３へ映像データを渡してデコードした後、映像表示装置部５００のフレームメモリ部５０１を介して描画部５０２で映像を表示する。
【００３６】
ＨＤＤ部６０６内に蓄積されたデータに基づく映像を映像表示装置部５００にて表示するためには、認証キーの記録された光ディスク４０１をドライブ部４０２に挿入する必要がある。映像再生装置部４００の制御部４０７は、ＨＤＤ部６０６から映像データを取得するための要求信号を、鍵情報抽出部４１２から得た認証キーとともに外部デコード装置部６００の制御部６０４に宛てて送信する。
【００３７】
外部デコード装置部６００では、制御部６０４が認証キーを受信して、ＨＤＤ部６０６へのアクセスを許可できると認識した場合に限り、ＨＤＤ部６０６にある映像データを読み出して、そのデコードをソフトウェアデコード部６０３にて開始させる。このソフトウェアデコード部６０３によるデコード後の映像データは、バッファ部６０２に格納されたうえ、映像データ送信部６０５によりネットワーク経由で映像再生装置部４００へ送信される。
【００３８】
映像再生装置部４００では、映像データ受信部４０９が受信した映像データがバッファ部４１０に格納される。そして、バッファ部４１０に格納後の映像データが、最終的に映像表示装置部５００に備えたフレームメモリ部５０１を介して描画部５０２にて映像として表示される。
【００３９】
以上のとおり、図２のネットワーク型データ再生装置によれば、認証キーを含んだ光ディスク４０１を持つユーザのみに制限して、映像再生装置部４００からの制御により、外部デコード装置部６００に内蔵されたＨＤＤ部６０６のデータに基づく映像を映像表示装置部５００に表示させることが可能となる。
【００４０】
なお、ＨＤＤ部６０６に格納された映像データの視聴についてユーザ毎に異なる制限を持たせるためには、認証キーとデータアクセスを許可すべき映像データとの対応テーブルを制御部６０４が持つこととすればよい。つまり、映像再生装置部４００から受信した認証キーに応じて、ＨＤＤ部６０６へのデータアクセスの範囲を制限するのである。これにより、プライバシーの保護を実現したり、年齢が制限された映像を不適切なユーザが視聴できないようにしたりすることが可能となる。
【産業上の利用可能性】
【００４１】
以上説明してきたとおり、本発明に係る第１の再生装置は複数の機器の各々の機能を最大限に生かしつつ操作性を向上させたネットワーク型データ再生装置であり、本発明に係る第２の再生装置はデータアクセス制限を達成できるネットワーク型データ再生装置であって、いずれもＤＶＤプレーヤ等の、ディジタルデータを再生する全ての用途に応用できる。
【図面の簡単な説明】
【００４２】
【図１】本発明に係るネットワーク型データ再生装置の構成例を示すブロック図である。
【図２】本発明に係るネットワーク型データ再生装置の他の構成例を示すブロック図である。
【符号の説明】
【００４３】
１００，４００  映像再生装置部
１０１，４０１  光ディスク
１０２，４０２  ドライブ部
１０３，４０３  ハードウェアデコード部
１０４，４０４  出力部
１０５  映像判別部
１０６  著作権有無判別部
１０７，４０７  制御部
１０８  映像データ送信部
１０９，４０９  映像データ受信部
１１０，４１０  バッファ部
１１１  接続表示部
２００，５００  映像表示装置部
２０１，５０１  フレームメモリ部
２０２，５０２  描画部
３００，６００  外部デコード装置部
３０１  映像データ受信部
３０２，６０２  バッファ部
３０３，６０３  ソフトウェアデコード部
３０４，６０４  制御部
３０５，６０５  映像データ送信部
４１２  鍵情報抽出部
６０６  ＨＤＤ部
【図１】
2006033376.tif 000003
【図２】
2006033376.tif 000004